(57)【特許請求の範囲】
【請求項１】
構造物の仕上面とほぼ平行に鋼材を立設し、構造物の仕上面下方のベースコンクリート上に最下段の捨て型枠を下縁部の調整ボルトによって高さ調整して配置し、アンカーボルトで型枠パネルを鋼材に連結した状態で、背面の係止受にアンカー筋の先端鉤部を係止すると共にアンカー筋の基部を躯体側へ固定し、次いで第２段目以後の捨て型枠をアンカーボルトとアンカー筋によって同様に固定し、捨て型枠裏面のコンクリート打設側へコンクリートを打設して一体化することを特徴とするコンクリート製躯体表面の施工方法。
【請求項２】
表面が構造物の仕上面、裏面がコンクリート打設側となるコンクリート製型枠パネルの裏面へ該型枠パネルを支持する鋼材との間を連結するアンカーボルトを設けてなるコンクリート製捨て型枠。
【請求項３】
表面が構造物の仕上面、裏面がコンクリート打設側となるコンクリート製型枠パネルの裏面へ構造物の躯体側へ固定されたアンカー筋の先端鉤部が係止される係止受を設けてなるコンクリート製捨て型枠。
【発明の詳細な説明】
【０００１】
【産業上の利用分野】
本発明は、ダム、堰堤、コンクリート擁壁等の施工に使用されるコンクリート製躯体表面の施工方法とそれに用いるコンクリート製捨て型枠に関する。
【０００２】
【従来の技術】
砂防ダムやコンクリート擁壁を構築する場合、木製や鋼製型枠（仮枠）が使用される。その場合、型枠の用意、組立、取外し、保管、保守等が必要である。また型枠がコンクリート製で木製、鋼製型枠の不要のものもあったが、その場合取付構造がセパレータによる固定式である。
【０００３】
上記のような木製や鋼製型枠を用いないで型枠の役目を担うと共に、そのまま構造体へ組み込まれて表面を形成したり、強度メンバーとなることのできるコンクリート製型枠については特願平４−２１１１５２号に提案されている。これは、表面が構造物の仕上面、裏面がコンクリート打設側となるコンクリート製パネルであって、裏面側に型枠相互の連結金具を取付ける埋込みボルト穴を設けたのである。連結金具は埋設されたものや、又は連結控壁を設けたものなどであって、従来のコンクリート製型枠不要のものが有していた難点、すなわち、大型に不向き、表面化粧をし直さなければならない、型枠内での作業員の移動が困難等の難点を解決したものである。
【０００４】
【発明が解決しようとする課題】
この例のみならず、従来のコンクリート捨て型枠には、施工期間の短縮化、勾配調節、裏面に打設されるコンクリートとの一体化、下部からの高さ調節等の要求に対して充分に応えることのできるものではなかった。すなわち、従来のコンクリート捨て型枠は、予め擁壁等の勾配に沿った勾配に形成された法面連結金具に固定したり、予め形成されているダム等の形成躯体等へボルト等で固定するため、勾配の調節が自由ではないし、個々の捨て型枠の上下調節機能もなく、そして、施工に多くの手間と時間を必要としていた。本発明はこれらの点を解決しようとするものである。
【０００５】
【課題を解決するための手段】
本発明は、構造物の仕上面とほぼ平行に鋼材を立設し、構造物の仕上面下方のベースコンクリート上に最下段の捨て型枠を下縁部の調整ボルトによって高さ調整して配置し、アンカーボルトでパネルを鋼材に連結した状態で、背面の係止受にアンカー筋の先端鉤部を係止すると共にアンカー筋の基部を躯体側へ固定し、次いで第２段目以後の捨て型枠をアンカーボルトとアンカー筋によって同様に固定し、捨て型枠裏面のコンクリート打設側へコンクリートを打設して一体化することを特徴とするコンクリート製躯体表面の施工方法である。
【０００６】
この施工方法に用いるコンクリート製捨て型枠は、表面が構造物の仕上面、裏面がコンクリート打設側となるコンクリート製型枠パネルの裏面へ該型枠パネルを支持する鋼材との間を連結するアンカーボルトを設けたり、コンクリート製型枠パネルの裏面へ構造物の躯体側へ固定されたアンカー筋の先端鉤部が係止される係止受を設ける。
【０００７】
また、このコンクリート製捨て型枠はパネルの背部へ裏面に向かって小断面積となる勾配を設けている。ここでいうコンクリート製型枠の材質は、一般のポルトランドセメントコンクリート、レジンコンクリート、グラスファイバー補強コンクリート（ＦＲＣ）などや、これに類するものを含む。
【０００８】
更に、最下段の該型枠パネルの下部縁部へベースコンクリートとの間で高さ調整可能に調整ボルトを設けている。
【０００９】
【作用】
本発明によると、アンカーボルトで型枠パネルを鋼材に連結した状態で、背面の係止受に係止されたアンカー筋の基部を躯体側へ固定することによって、パネル勾配の微調整が可能となり、また、型枠パネル裏面に打設されたコンクリートと一体化して、型枠パネルが設置勾配を変えたり、段積状態が崩れるのを防止する。
【００１０】
型枠パネルを支持する鋼材との間を連結するアンカーボルトを設けて、構造物の仕上面とほぼ平行な鋼材に固定することにより、個々の型枠パネルの段積固定ができるし、型枠パネルと鋼材との間にコンクリートの打設間隙が確保され、その間に打設されたコンクリートによって表面近くにコンクリート層を形成し、かつ型枠パネルが捨て型枠となって強固な表面状態を形成する。また、以前は所定の高さまでコンクリートを打設しないと作業が終わらなかったが、この施工方であると、コンクリート打継目を気にせず、任意の部分で打ち込み作業を止めることができる。
【００１１】
このコンクリート製捨て型枠は、型枠パネルの背部へ裏面に向かって小断面積となる勾配を設けているので、パネルとパネルとの間に楔（くさび）状にコンクリートの充填間隙が形成され、型枠パネルの四面周囲にコンクリートが入ってより一体化が促進される。
【００１２】
調整ボルトを設けたことにより、型枠パネルの下部縁部とベースコンクリートとの間の高さを自由に変えることができる。
【００１３】
【実施例】
図１は本発明のコンクリート製捨て型枠によってコンクリート擁壁表面を形成している様子を示す側面図である。この例によって明らかなように、コンクリート製捨て型枠１が下方から上方へ所定の傾斜（勾配）状態で、構造物の仕上面とほぼ平行に設けられた鋼材２へアンカーボルト３によって鋼材２との間に所定の間隙をおいて固定されている。鋼材としてはチャンネル鋼がこの例では用いられている。鋼材２にはアンカーボルト３による締結位置を調節できるようにするために、図３に示すようにグループ孔１２を設けている。
【００１４】
コンクリート製捨て型枠１の個々の構造は、図２に示すように、矩形（菱形や上下又は左右縁部が波形でも構わない）の躯体の表面側が凹凸の装飾面（仕上げ面）であり、裏面は鋼材２との間を連結するアンカーボルト３の基部を螺着することのできるめねじ構造のインサート４を埋設している。また、裏面には構造物の躯体側へ固定されたアンカー筋５の先端鉤部を係止することができるように、環状の係止受６を設けている。係止受６はこのような環状に限らず、鉤状であってもよいし、コンクリート製捨て型枠１の一部にアンカー筋５の先端鉤部を係止可能な孔を設けてもよい。
【００１５】
型枠パネルの背部は裏面に向かって小断面積となる勾配部（テーパー部）７を設けている。この勾配は裏面に向かう途中に多少の凹凸を有していても結果的に裏面に向かって小断面積となっていればよい。
【００１６】
最下段の型枠パネル１ａは、図１の下方にみられるように、下縁部へベースコンクリート８との間で高さ調整可能に調整ボルト９を設けるために、めねじ構造のインサート１０を埋設している。
【００１７】
施工は概ね次のようになされる。ダムや擁壁の構造物の仕上面下方のベースコンクリートを打設する際に同時に鋼材２と組立用鉄筋１１ａの基部を埋設し、固化させた後、その上に最下段の捨て型枠パネル１ａを下縁部に設けられた調整ボルト９によって高さ調整して配置し、アンカーボルト３で捨て型枠パネル１ａを鋼材２に連結した状態で、背面の係止受６にアンカー筋５の先端鉤部を係止すると共にアンカー筋の基部を躯体側へ一部埋設した組立用鉄筋１１ａへ溶接固定し、次いで第２段目の捨て型枠パネル１ｂをアンカーボルト３とアンカー筋５によって同様に固定し、捨て型枠裏面のコンクリート打設側へコンクリートを打設して一体化する。このとき、必要により延長用の鋼材２や組立用鉄筋１１ｂを一緒に固定する。続いて同様の工程で第３段目の捨て型枠パネル１ｃをアンカーボルト３で鋼材２にセットし、アンカー筋５によって組立用鉄筋１１ｂへ固定する。この工程を設計された上段に至るまで繰返して施工するのである。
【００１８】
本発明では、捨て型枠パネルの前面上方に図１又は図２の２点鎖線で示すようにインサート金具１３を埋設しておくことにより、足場を準備しなくてもパネルの吊金具を容易に外すことができる。また、前面２個所にインサート金具１３を埋設しておいて、それらによりボルト１４を埋めれば、足場板１５をかけることができ、容易に足場を確保することができるのである。
【００１９】
【発明の効果】
本発明によって、ダムや堰堤、擁壁の施工の際の捨て型枠の勾配の微調節及び高さ調節が可能となって施工が容易となった。個々の捨て型枠には周囲にコンクリートが充填されて強固な一体化が可能となった。型枠背面は、型枠支持のための鋼材や多数のアンカー筋が補強用配筋としてそのまま残存されるので、特別な配筋作業を要しない。施工期間の短縮も可能となった。
【図面の簡単な説明】
【図１】本発明のコンクリート製捨て型枠によってコンクリート擁壁表面を形成している様子を示す側面図である。
【図２】同要部平面図である。
【図３】同背面図である。
【符号の説明】
１  コンクリート製捨て型枠
２  鋼材
３  アンカーボルト
４  インサート
５  アンカー筋
６  係止受
７  勾配部（テーパー部）
８  ベースコンクリート
９  調整ボルト
１０  インサート
１１  組立用鉄筋
１２  グループ孔
【図１】
0003594658.tif 000002
【図２】
0003594658.tif 000003
【図３】
0003594658.tif 000004